(57)【要約】【課題】画像表示システムを提供する。【解決手段】オリジナル画像とその加工画像を同時に表示する画像表示システムであって、表示スクリーン、第一のメモリユニット、第二のメモリユニットと制御ユニットを含む。所定のコマンドに応じて、オリジナル画像とその加工画像を同時に拡大し、ドラッグし、また、その所定のピクセルのデータを同時に表示する。オリジナル画像とその加工画像との相違をリアルタイムに特定することができるので、本発明の画像表示システムは、使いやすく、効率が良い。【選択図】図9
2007052388.tif 000002
【特許請求の範囲】
【請求項１】
オリジナル画像とその加工画像を表示スクリーンに同時に表示する画像表示システムであって、
前記オリジナル画像と前記加工画像とをそれぞれ表示する第一の表示部分と第二の表示部分からなる前記表示スクリーンを含むモニターと、
前記オリジナル画像と前記加工画像の画像データをそれぞれ記憶する第一のメモリ部分と第二のメモリ部分を含む第一のメモリユニットと、
前記表示スクリーンに表示される前記オリジナル画像の表示データと前記表示スクリーンに表示される前記加工画像の表示データをそれぞれ記憶する第一のメモリ部分と第二のメモリ部分を含む第二のメモリユニットと、
ユーザ入力コマンドの実行により、前記第一の表示部分に表示される前記オリジナル画像と前記第二の表示部分に表示される前記加工画像を制御するディスプレイ制御モジュールを含む制御ユニットと、
を有する、
画像表示システム。
【請求項２】
前記ユーザ入力コマンドは、画像の拡大操作と画像のドラッグ操作とに関連するコマンドである、
請求項１に記載の画像表示システム。
【請求項３】
前記オリジナル画像と前記加工画像のピクセルの輝度データは、前記ユーザ入力コマンドに応じて、前記表示スクリーンに表示される、
請求項１に記載の画像表示システム。
【請求項４】
前記ディスプレイ制御モジュールは、ソフトウェアプログラムにより実現される、
請求項１に記載の画像表示システム。
【発明の詳細な説明】
【技術分野】
【０００１】
本発明は、画像表示システムに関し、特に、オリジナル画像とその加工画像を同時に表示できる画像表示システムに関する。
【背景技術】
【０００２】
様々なイメージングツールが画像処理（例えば、画像の鮮明化処理、輝度調節と色空間変換）に用いられる。イメージングツールにおけるパラメータを調整することにより、所望の画像表示効果が得られる。
【０００３】
従来のイメージングツールは、オリジナル画像ファイルを開き、画像処理コマンドを実行してオリジナル画像ファイルを処理し、処理された画像をスクリーンに直接表示する。
【０００４】
従来の画像表示方法では、オリジナル画像とその加工画像のいずれかがスクリーンに表示される。言い換えると、ユーザがオリジナル画像とその加工画像との相違を同じスクリーンで認識することができない。その結果、ユーザが画像処理コマンドのオリジナル画像への影響を特定できない。
【０００５】
オリジナル画像と加工画像をリアルタイムに同じスクリーンに表示するために、切り取り-貼り付け方法が必要である。
【０００６】
特許文献1は、オリジナル画像とその加工画像を同じスクリーンに表示する方法を開示している。図１は、特許文献１の方法により生成、表示された画像を示す。図1に示すように、まず、オリジナル画像100が表示され、そして、プレビューブロック100Aが生成され、画像処理コマンドがこのプレビューブロック100A内の画像に実行される。この場合、プレビューブロック100A内の加工画像を認識できる。しかし、この方法には、幾つの欠点がある。例えば、オリジナル画像の一部のみがプレビューブロック100Aに表示されるので、ユーザが同じフレームにオリジナル画像とその加工画像との相違を認識できない。
【０００７】
特許文献2は、オリジナル画像とその加工画像を同じスクリーンに表示する他の方法を開示している。図2は、特許文献2の方法により生成、表示された画像を示す。図2に示すように、スクリーンが二つの部分に分けられる。オリジナル画像200は、スクリーンの第一の部分に表示され、加工画像200Aは、スクリーンの第二の部分に表示される。このような方法では、ユーザが同じスクリーン上にオリジナル画像とその加工画像を同時に見ることができ、表示された加工画像を更に処理することができない。言い換えると、加工画像200Aを更に処理する場合、現在表示中の画像フレームを閉じる必要がある。加工画像200Aを更に加工するために再度開き、そして、ファイルとして保存した後に、フレーム分割機能を用いオリジナル画像とその加工画像を同時に表示する。
【０００８】
ゆえに、前述の方法は完璧なものではなく、解決すべき欠点が多数ある。従来の方法における前述の欠点を踏まえ、本発明は、画像表示システムを提供し、前述の欠点を解決する。
【特許文献１】台湾特許第591935号
【特許文献２】特開第2004-120406号公報
【発明の開示】
【発明が解決しようとする課題】
【０００９】
本発明の目的は、オリジナル画像とその加工画像を同時に表示し、拡大及びドラッグし、オリジナル画像とその加工画像との相違を特定することができる画像表示システムを提供することにある。
【課題を解決するための手段】
【００１０】
本発明の目的を達成するために、オリジナル画像とその加工画像を同時に表示する画像表示システムを提供する。この画像表示システムは、スクリーンを含むモニターと、第一のメモリユニットと、第二のメモリユニットと、制御ユニットとを有する。スクリーンは、第一の部分と第二の部分からなり、オリジナル画像とその加工画像をそれぞれ表示する。第一のメモリユニットは、第一のメモリ部分と第二のメモリ部分を含み、オリジナル画像とその加工画像の画像データをそれぞれ記憶する。第二のメモリユニットは、第一のメモリ部分と第二のメモリ部分を含み、スクリーンに表示されるオリジナル画像の表示データとスクリーンに表示される加工画像の表示データをそれぞれ記憶する。制御ユニットは、ディスプレイ制御モジュールを含み、ユーザ入力コマンドの実行により、第一の表示部分に表示されるオリジナル画像と第二の表示部分に表示される加工画像を制御する。
【００１１】
好適な実施形態において、ユーザ入力コマンドは、画像の拡大操作とドラッグ操作に関連するコマンドである。
【００１２】
好適な実施形態において、オリジナル画像とその加工画像のピクセルの輝度データは、入力コマンドに応じて、スクリーンに表示される。
【００１３】
好ましくは、ディスプレイ制御モジュールは、ソフトウェアプログラムにより実現される。
【００１４】
また、本発明の目的を達成するために、オリジナル画像とその加工画像を同時に表示する画像表示方法を提供する。まず、スクリーンは、第一の表示部分と第二の表示部分からなる。そして、オリジナル画像の一部は、第一の表示部分に表示される。このオリジナル画像が処理された後に、その加工画像が得られる。次に、この加工画像の一部は、第二の表示部分に表示される。その後、第一の表示部分にあるオリジナル画像と第二の表示部分にある加工画像は、ユーザ入力コマンドの実行により制御される。
【発明の効果】
【００１５】
本発明は、オリジナル画像とその加工画像を同時に表示、拡大及びドラッグし、オリジナル画像とその加工画像との相違を特定し、イメージングツールの性能が強化される画像表示システムを提供する。
【発明を実施するための最良の形態】
【００１６】
次に、添付した図面を参照しながら、本発明の好適な実施形態を詳細に説明する。
【００１７】
図3は、本発明の好適な実施形態における画像表示システムの機能ブロック図である。図3に示すように、画像表示システム1000は、モニター300と、第一のメモリユニット400と、第二のメモリユニット500と、制御ユニット600とを含む。モニター300は、第一の表示部分301Aと第二の表示部分301Bに分けられる表示スクリーン301を含む。第一のメモリユニット400は、第一のメモリ部分400Aと第二のメモリ部分400Bを含む。第二のメモリユニット500は、第一のメモリ部分500Aと第二のメモリ部分500Bを含む。制御ユニット600は、ディスプレイ制御モジュール601を含む。
【００１８】
モニター300の表示スクリーン301の第一の表示部分301Aは、オリジナル画像を表示し表示スクリーン301の第二の表示部分301Bは、オリジナル画像について、例えば、画像鮮明化／ぼかし処理がされた後、その加工画像を表示する。制御ユニット600のディスプレイ制御モジュール601は、本実施形態の画像表示システムの操作を制御するものであり、例えば、ソフトウェアプログラムにより実現される。
【００１９】
オリジナル画像とその加工画像の画像データは、第一のメモリユニット400に記憶される。図4に示すように、オリジナル画像の画像データPo1〜Po25は、第一のメモリユニット400の第一のメモリ部分400Aに記憶され、加工画像の画像データPn1〜Pn25は、第一のメモリユニット400の第二のメモリ部分400Bに記憶される。
【００２０】
表示スクリーン301に表示されるオリジナル画像と加工画像の表示データは、第二のメモリユニット500に記憶される。図5Aに示すように、表示スクリーン301の第一の表示部分301Aに表示されるオリジナル画像の画像データPo2〜Po16は、第二のメモリユニット500の第一のメモリ部分500Aに記憶され、表示スクリーン301の第二の表示部分301Bに表示される加工画像の表示データPn2〜Pn16は、第二のメモリユニット500の第二のメモリ部分500Bに記憶される。図5Bは、ドラッグコマンドの実行に応じて、表示スクリーン301に表示されるオリジナル画像とその加工画像の表示データを示す図表である。この場合、表示スクリーン301の第一の表示部分301Aに表示されるオリジナル画像の表示データPo1〜Po15は、第二のメモリユニット500の第一のメモリ部分500Aに記憶される。どころが、表示スクリーン301の第二の表示部分301Bに表示される加工画像の表示データPn1〜Pn15は、第二のメモリユニット500の第二のメモリ部分500Bに記憶される。
【００２１】
次に、本発明の画像表示システムを操作するユーザ操作インターフェスを説明する。
【００２２】
まず、図6に示すように、表示スクリーン301は、第一の表示部分301Aと第二の表示部分301Aに分けられる。
【００２３】
次に、図7に示すように、オリジナル画像301Aoの一部は、ディスプレイ制御モジュール601により第一の表示部分301Aに表示される。オリジナル画像ファイルを開いた後に、オリジナル画像の画像データPo1〜Po25は、第一のメモリユニット400の第一のメモリ部分400Aに記憶される。また、表示スクリーン301の第一の表示部分301Aに表示されるオリジナル画像の画像データPo2〜Po16は、ディスプレイ制御モジュール601により、第二のメモリユニット500の第一のメモリ部分500Aに書き込まれ、そして、オリジナル画像の画像データPo2〜Po16は、第一の表示部分301Aに表示される。オリジナル画像の詳細を見るには、全てのオリジナル画像はスクリーンに表示されでも良く、オリジナル画像301Ao部分のみは、第一の表示部分301Aに表示されれば良い。
【００２４】
そして、図8に示すように、画像処理コマンドが選択され、オリジナル画像301Aoを処理する。図9において、加工画像301Bnの全ての画像データPn1〜Pn25は、第一のメモリユニット400の第二のメモリ部分400Bに記憶される。表示されるオリジナル画像の画像データPo2〜Po16に対応する加工画像の画像データPn2〜Pn16は、第二のメモリユニット500の第二のメモリ部分500Bに書き込まれ、加工画像の画像データPn2〜Pn16は、表示スクリーン301の第二の表示部分301Bに表示される。言い換えると、第一の表示部分301Aに表示されるオリジナル画像301Aoの内容は、第二の表示部分301Bに表示される加工画像301Bnの内容と一致している。これにより、オリジナル画像と加工画像との相違を明白に特定できる。
【００２５】
また、図10に示すように、カーソルが、例えば、矢印Aに示される方向に移動される場合、表示スクリーンに移動した座標位置に基づき、ディスプレイ制御モジュール601は、対応するオリジナル画像の画像データPo2〜Po16を第二のメモリユニット500の第一のメモリ部分500Aに書き込み、対応する加工画像の画像データPn2〜Pn16を第二のメモリユニット500の第二のメモリ部分500Bに書き込む。その後、ディスプレイ制御モジュール601により、第一のメモリ部分500Aに記憶されるオリジナル画像の画像データPo2〜Po16は、第一の表示部分301Aに表示され、第二のメモリ部分500Bに記憶される加工画像の画像データPn2〜Pn16は、第二の表示部分301Bに表示される。即ち、第一の表示部分301Aに表示されるオリジナル画像301Aoの内容は、第二の表示部分301Bに表示される加工画像301Bnの内容と一致している。
【００２６】
図11に示すように、例えば、マウスのボタンを押すことにより、倍率選択メニューMが生成される。所望の倍率が選択された後に、第一の表示部分に表示されるオリジナル画像と第二の表示部分に表示される加工画像は、同時に拡大される。よって、第一の表示部分301Aに表示されるオリジナル画像301Aoの内容は、第二の表示部分301Bに表示される加工画像301Bnの内容と一致している。
【００２７】
更に、本発明の画像表示システムは、オリジナル画像301Aoと加工画像301Bnのピクセルのデータを同時に表示することができる。図12に示すように、第一の表示部分301A或いは第二の表示部分301Bの所定のピクセルがマウスにより選択される場合、ディスプレイ制御モジュール601は、選択されるピクセルの座標に基づき、第一の表示部分301Aと第二の表示部分301Bに表示されるオリジナル画像と加工画像のそれぞれの画像データを表示する。オリジナル画像の選択されるピクセルの画像データは、R=1、G=16、B=131、L=12／100であり、加工画像の選択されるピクセルの画像データは、R=0、G=8、B=131、L=12／100であり、ここで、R、GとBは、それぞれ赤色、緑色と青色のカラー値であり、Lは、選択されるピクセルの輝度である。また、画像の色に関する他のパラメータは、表示スクリーンに表示されても良い。
【００２８】
本発明の画像表示システムは、以下の利点を有する。例えば、画像表示システムの新製品を展示し良く理解するために、ユーザが操作を実演し、オリジナル画像と加工画像の対応するピクセルのデータを表示することができる。
【００２９】
また、オリジナル画像を段階的に処理する場合、本発明の画像表示システムにより最初に処理された画像は、後の処理のオリジナル画像として保存されても良い。
【００３０】
ゆえに、本発明の画像表示システムは、オリジナル画像とその加工画像との同じ内容をスクリーンに同時に表示することができる。また、所定のコマンドに応じて、オリジナル画像とその加工画像を同時に拡大、ドラッグし、所定のピクセルのデータを表示することができる。オリジナル画像とその加工画像との相違をリアルタイムに確認するために、オリジナル画像とその加工画像を頻繁に開く／閉じる必要がないので、本発明の画像表示システムは、使いやすく、効率が良い。
【００３１】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００３２】
【図１】従来技術における処理画像とそのオリジナル画像を示す図である。
【図２】従来技術における処理画像とそのオリジナル画像を示す図である。
【図３】本発明の好適な実施形態における画像表示システムの機能ブロック図である。
【図４】第一のメモリユニットに記憶される画像データを示す図表である。
【図５Ａ】第二のメモリユニットに記憶される画像データを示す図表である。
【図５Ｂ】第二のメモリユニットに記憶される画像データを示す図表である。
【図６】本発明の画像表示システムのユーザ操作インターフェスを示す図であり、表示スクリーンは、左と右との二つの表示部分に分けられる。
【図７】本発明の画像表示システムのユーザ操作インターフェスを示す図であり、オリジナル画像の一部は、表示スクリーンの左の表示部分に表示される。
【図８】本発明の画像表示システムのユーザ操作インターフェスを示す図であり、オリジナル画像は、選択される画像処理コマンドに応じて処理される。
【図９】本発明の画像表示システムのユーザ操作インターフェスを示す図であり、オリジナル画像とその対応する加工画像は、それぞれ表示スクリーンの左と右の表示部分に表示される。
【図１０】図9の画像にドラッグコマンドを実行することにより生成された画像を示す図である。
【図１１】本発明の画像表示システムのユーザ操作インターフェスを示す図であり、倍率選択メニューは表示される。
【図１２】本発明の画像表示システムのユーザ操作インターフェスを示す図であり、オリジナル画像とその加工画像のピクセルのデータは表示される。
【符号の説明】
【００３３】
100  オリジナル画像
100A  プレビューブロック
200  オリジナル画像
200A  加工画像
1000  画像表示システム
300  モニター
301  表示スクリーン
400  第一のメモリユニット
500  第二のメモリユニット
600  制御ユニット
301A  第一の表示部分
301B  第二の表示部分
400A  第一のメモリユニット
400B  第二のメモリユニット
500A  第一のメモリユニット
500B  第二のメモリユニット
601  ディスプレイ制御モジュール
301Ao  オリジナル画像
301Bn  加工画像
A  矢印
M  倍率選択メニュー
【図１】
2007052388.tif 000003
【図２】
2007052388.tif 000004
【図３】
2007052388.tif 000005
【図４】
2007052388.tif 000006
【図５Ａ】
2007052388.tif 000007
【図５Ｂ】
2007052388.tif 000008
【図６】
2007052388.tif 000009
【図７】
2007052388.tif 000010
【図８】
2007052388.tif 000011
【図９】
2007052388.tif 000012
【図１０】
2007052388.tif 000013
【図１１】
2007052388.tif 000014
【図１２】
2007052388.tif 000015